(57)【要約】【課題】順番が定められた記録紙を用いて複数頁・複数組の画像形成を実行している途中でジャムが発生した場合に、正しく画像形成を続行する。【解決手段】複数頁分の記録紙を一組と扱って複数組の給紙が可能な給紙手段と、記録紙に対応した複数頁分を一組とする画像データに応じて複数組の画像形成制御を行う制御手段と、記録紙を複数の排紙トレイに仕分けして排紙する後処理手段とを備える。制御手段は、正常に画像形成できなかった記録紙が発生した際に、正常に実行できなかった次の記録紙から、次の組であって正常に実行できなかった記録紙に対応する記録紙の直前までを、画像形成せずに給紙・排紙し、正常に実行できなかった記録紙に対応する次の組の記録紙から対応する頁の画像データの画像形成を開始させる。後処理手段は、画像形成されない記録紙を、画像形成された記録紙とは別の排紙トレイに排紙する。【選択図】      図１
2004174895.tif 000002
【特許請求の範囲】
【請求項１】
複数頁分の記録紙を一組とした状態で、該記録紙について複数組の給紙が可能な給紙手段と、
記録紙に対応した複数頁分を一組とする画像データに応じて、複数組の画像形成を行う画像形成モードで画像形成を実行する制御手段と、を備え、
前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する、
ことを特徴とする画像形成装置。
【請求項２】
複数頁分の記録紙を一組とした状態で、該記録紙について複数組の給紙が可能な給紙手段と、
記録紙に対応した複数頁分を一組とする画像データに応じて、複数組の画像形成を行う画像形成モードで画像形成を実行する制御手段と、
記録紙を複数の排紙トレイに仕分けしつつ排紙する機能を有する後処理手段と、を備え、
前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、
前記後処理手段は、前記制御手段の制御によって画像形成されない記録紙を、画像形成された記録紙が排紙される排紙トレイとは別の排紙トレイに排紙する、ことを特徴とする画像形成装置。
【請求項３】
複数頁分の記録紙を一組とした状態で、該記録紙について複数組の給紙が可能な給紙手段と、
記録紙に対応した複数頁分を一組とする画像データに応じて、複数組の画像形成を行う画像形成モードで画像形成を実行する制御手段と、
記録紙を同一の排紙トレイ上で記録紙進行方向と垂直な方向に位置をずらして出力することで仕分けしつつ排紙する機能を有する後処理手段と、を備え、
前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、
前記後処理手段は、前記制御手段の制御によって画像形成されない記録紙を、画像形成された記録紙が排紙される位置とは別の位置にずらして排紙する、
ことを特徴とする画像形成装置。
【請求項４】
複数頁分の記録紙を一組とした状態で、該記録紙について複数組の給紙が可能な給紙手段と、
記録紙に対応した複数頁分を一組とする画像データに応じて、複数組の画像形成を行う画像形成モードで画像形成を実行する制御手段と、
所定の単位の記録紙毎に綴じ止め処理を施して排紙する機能を有する後処理手段と、を備え、
前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、
前記後処理手段は、綴じ止め処理が指定されている場合には、前記制御手段の制御によって画像形成された記録紙については複数頁の一組毎に綴じ止め処理を行うと共に、前記制御手段の制御によって画像形成されない記録紙については綴じ止め処理を行わない状態で排紙する、
ことを特徴とする画像形成装置。
【請求項５】
複数頁分の記録紙を一組とした状態で、該記録紙について複数組の給紙が可能な給紙手段と、
記録紙に対応した複数頁分を一組とする画像データに応じて、複数組の画像形成を行う画像形成モードで画像形成を実行する制御手段と、
所定の単位の記録紙毎に穿孔処理を施して排紙する機能を有する後処理手段と、を備え、
前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、
前記後処理手段は、穿孔処理が指定されている場合には、前記制御手段の制御によって画像形成された記録紙については穿孔処理を行うと共に、前記制御手段の制御によって画像形成されない記録紙については穿孔処理を行わない状態で排紙する、
ことを特徴とする画像形成装置。
【請求項６】
画像形成状態を表示可能な表示手段を備え、
前記制御手段は、画像形成せずに排紙する記録紙が存在する場合に、該画像形成されずに排紙される記録紙についての情報を前記表示手段に表示する制御を行う、
ことを特徴とする請求項１乃至請求項５のいずれかに記載の画像形成装置。
【請求項７】
画像形成状態を表示可能な表示手段を備え、
前記制御手段は、画像形成せずに排紙する記録紙が存在する場合に、該画像形成されずに排紙される記録紙に対する前記後処理手段における処理の情報を前記表示手段に表示する制御を行う、
ことを特徴とする請求項１乃至請求項５のいずれかに記載の画像形成装置。
【発明の詳細な説明】
【０００１】
【発明の属する技術分野】
本発明は複写機、プリンタなどの画像形成装置に関し、特に、複数頁分の記録紙を一組とした状態で該記録紙について複数組の画像形成が可能な画像形成装置に関する。
【０００２】
【従来の技術】
一般的な画像形成装置では、画像形成の途中（給紙から排紙に至るいずれかの過程）でジャムなどにより画像形成を正常に実行できなかった記録紙が発生した場合、ジャムなどにより詰まった記録紙を取り除くことで画像形成の再開が可能であった。なお、このように詰まった記録紙を取り除くことを「ジャム処理」と呼んでいる。
【０００３】
なお、一般的な画像形成装置においてジャム処理を実行することが、以下の特許文献１に対策が述べられている。しかし、この特許文献１記載の技術や、その他の一般的なジャム処理では、詰まった記録紙を取り除くだけであり、後述するような用途では問題が生じることになる。
【０００４】
【特許文献１】
特開平９−９０８２４号公報（第１頁、図１）
【０００５】
【発明が解決しようとする課題】
複数頁分の記録紙を一組とした状態で、該複数頁の記録紙を複数組分順番に給紙トレイに積載しておいて、複数頁の画像形成を複数組分連続して実行することがある。
【０００６】
この場合、各組の複数頁の記録紙については、レターヘッドが予め印刷された表紙を使用する場合や、挿入頁位置が予め定められたタブ紙を用いる場合などがあり、記録紙を給紙トレイに積載する順番と、画像形成する頁の内容と記録紙との対応関係が重要になる。
【０００７】
このように順番が定められた記録紙を用いて複数頁・複数組の画像形成の際に、画像形成の途中でジャムが発生した場合、ジャムが発生した記録紙を取り除いただけで画像形成を再開してしまうと、画像形成内容と記録紙との対応関係が崩れてしまう。この結果、再開した後の記録紙全体については無駄になってしまう。
【０００８】
このような場合には、ジャムを発生した記録紙の次の記録紙から、画像形成を再開する直前までの記録紙を、オペレータ（画像形成装置の使用者）が給紙トレイから取り除く必要がある。
【０００９】
しかし、取り除く必要があることを忘れて画像形成を再開してしまったり、取り除く記録紙の枚数を間違えてしまったりすることで、所望の画像形成の結果が得られないことも多かった。
【００１０】
また、また、画像形成装置によっては、画像形成装置内でジャムが発生した位置が画像形成前か画像形成後かにより、画像形成を再開した時点で形成される画像内容が異なる場合がある。このような場合にも、オペレータが正しい枚数の記録紙を正確に取り除くことは困難であった。
【００１１】
以上のような理由で、ジャムが発生した場合に、その実行途中の画像形成を一旦中止（クリア）して、記録紙を新たにセットし直して、新たに画像形成をやり直すようにする場合もあった。
【００１２】
いずれにしても、順番が定められた記録紙を用いて複数頁・複数組の画像形成を実行する際に、画像形成の途中でジャムが発生した場合、その後に正しく画像形成を続けることは困難であった。
【００１３】
本発明は以上の課題に鑑みてなされたものであって、順番が定められた記録紙を用いて複数頁・複数組の画像形成を実行している途中でジャムが発生した場合にも、面倒な操作無しに正しく画像形成を続行することが可能な画像形成装置を実現することを目的とする。
【００１４】
【課題を解決するための手段】
すなわち、上記の課題を解決する本願発明は、以下のそれぞれに述べるようなものである。
【００１５】
（１）請求項１記載の発明は、複数頁分の記録紙を一組とした状態で、該記録紙について複数組の給紙が可能な給紙手段と、記録紙に対応した複数頁分を一組とする画像データに応じて、複数組の画像形成を行う画像形成モードで画像形成を実行する制御手段と、を備え、前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する、ことを特徴とする画像形成装置である。
【００１６】
この発明では、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始する。
【００１７】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。また、ジャムを発生した記録紙の次の記録紙から、画像形成を再開する直前までの記録紙を、オペレータ（画像形成装置の使用者）が給紙トレイから取り除く必要もなくなる。
【００１８】
さらに、給紙トレイからの取り除き忘れや、取り除く記録紙の枚数の間違えが発生することもなくなる。従って、ジャムが発生した場合に、その実行途中の画像形成を一旦中止（クリア）して、記録紙を新たにセットし直して、新たに画像形成をやり直すといった必要もなくなる。
【００１９】
よって、順番が定められた記録紙を用いて複数頁・複数組の画像形成を実行している途中でジャムが発生した場合にも、面倒な操作無しに正しく画像形成を続行することが可能になる。
【００２０】
（２）請求項２記載の発明は、複数頁分の記録紙を一組とした状態で、該記録紙について複数組の給紙が可能な給紙手段と、記録紙に対応した複数頁分を一組とする画像データに応じて、複数組の画像形成を行う画像形成モードで画像形成を実行する制御手段と、記録紙を複数の排紙トレイに仕分けしつつ排紙する機能を有する後処理手段と、を備え、前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、前記後処理手段は、前記制御手段の制御によって画像形成されない記録紙を、画像形成された記録紙が排紙される排紙トレイとは別の排紙トレイに排紙する、ことを特徴とする画像形成装置である。
【００２１】
この発明では、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始し、画像形成されない記録紙については通常とは別の排紙トレイに排紙する。
【００２２】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００２３】
また、ジャムを発生した記録紙の次の記録紙から、画像形成を再開する直前までの記録紙は、画像形成されずに別の排紙トレイにまとめて排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。
【００２４】
従って、ジャムが発生した場合に、その実行途中の画像形成を一旦中止（クリア）して、記録紙を新たにセットし直して、新たに画像形成をやり直すといった必要もなくなる。
【００２５】
よって、順番が定められた記録紙を用いて複数頁・複数組の画像形成を実行している途中でジャムが発生した場合にも、面倒な操作無しに正しく画像形成を続行することが可能になる。
【００２６】
（３）請求項３記載の発明は、複数頁分の記録紙を一組とした状態で、該記録紙について複数組の給紙が可能な給紙手段と、記録紙に対応した複数頁分を一組とする画像データに応じて、複数組の画像形成を行う画像形成モードで画像形成を実行する制御手段と、記録紙を同一の排紙トレイ上で記録紙進行方向と垂直な方向に位置をずらして出力することで仕分けしつつ排紙する機能を有する後処理手段と、を備え、前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、前記後処理手段は、前記制御手段の制御によって画像形成されない記録紙を、画像形成された記録紙が排紙される位置とは別の位置にずらして排紙する、ことを特徴とする画像形成装置である。
【００２７】
この発明では、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始し、画像形成されない記録紙については通常とは別の位置にずらして排紙する。
【００２８】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００２９】
また、ジャムを発生した記録紙の次の記録紙から、画像形成を再開する直前までの記録紙は、画像形成されずに排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。さらに、別の位置にずらして排紙されているため、排紙トレイからの取り出しも容易になる。
【００３０】
従って、ジャムが発生した場合に、その実行途中の画像形成を一旦中止（クリア）して、記録紙を新たにセットし直して、新たに画像形成をやり直すといった必要もなくなる。
【００３１】
よって、順番が定められた記録紙を用いて複数頁・複数組の画像形成を実行している途中でジャムが発生した場合にも、面倒な操作無しに正しく画像形成を続行することが可能になる。
【００３２】
（４）請求項４記載の発明は、複数頁分の記録紙を一組とした状態で、該記録紙について複数組の給紙が可能な給紙手段と、記録紙に対応した複数頁分を一組とする画像データに応じて、複数組の画像形成を行う画像形成モードで画像形成を実行する制御手段と、所定の単位の記録紙毎に綴じ止め処理を施して排紙する機能を有する後処理手段と、を備え、前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、前記後処理手段は、綴じ止め処理が指定されている場合には、前記制御手段の制御によって画像形成された記録紙については複数頁の一組毎に綴じ止め処理を行うと共に、前記制御手段の制御によって画像形成されない記録紙については綴じ止め処理を行わない状態で排紙する、ことを特徴とする画像形成装置である。
【００３３】
この発明では、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始し、綴じ止め処理の指定にかかわらず画像形成されない記録紙については綴じ止め処理を行わない状態で排紙する。
【００３４】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００３５】
また、ジャムを発生した記録紙の次の記録紙から、画像形成を再開する直前までの記録紙は、画像形成されずに排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。さらに、綴じ止め処理されていない状態での排紙のため、排紙トレイからの取り出しも容易になる。
【００３６】
従って、ジャムが発生した場合に、その実行途中の画像形成を一旦中止（クリア）して、記録紙を新たにセットし直して、新たに画像形成をやり直すといった必要もなくなる。
【００３７】
よって、順番が定められた記録紙を用いて複数頁・複数組の画像形成を実行している途中でジャムが発生した場合にも、面倒な操作無しに正しく画像形成を続行することが可能になる。
【００３８】
（５）請求項５記載の発明は、複数頁分の記録紙を一組とした状態で、該記録紙について複数組の給紙が可能な給紙手段と、記録紙に対応した複数頁分を一組とする画像データに応じて、複数組の画像形成を行う画像形成モードで画像形成を実行する制御手段と、所定の単位の記録紙毎に穿孔処理を施して排紙する機能を有する後処理手段と、を備え、前記制御手段は、給紙から排紙に至る過程を正常に実行できなかった記録紙が発生した場合に、前記正常に実行できなかった記録紙の次の記録紙から、次の組であって前記正常に実行できなかった記録紙に対応する記録紙の直前の記録紙までを、画像形成せずに給紙および排紙すると共に、前記正常に実行できなかった記録紙に対応する次の組の記録紙から対応する頁の画像データの画像形成を開始する制御を行い、前記後処理手段は、穿孔処理が指定されている場合には、前記制御手段の制御によって画像形成された記録紙については穿孔処理を行うと共に、前記制御手段の制御によって画像形成されない記録紙については穿孔処理を行わない状態で排紙する、ことを特徴とする画像形成装置である。
【００３９】
この発明では、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始し、穿孔処理の指定にかかわらず画像形成されない記録紙については穿孔処理を行わない状態で排紙する。
【００４０】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００４１】
また、ジャムを発生した記録紙の次の記録紙から、画像形成を再開する直前までの記録紙は、画像形成されずに排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。さらに、穿孔処理されない状態で排紙されているため、排紙トレイからの取り出しも容易になる。
【００４２】
従って、ジャムが発生した場合に、その実行途中の画像形成を一旦中止（クリア）して、記録紙を新たにセットし直して、新たに画像形成をやり直すといった必要もなくなる。
【００４３】
よって、順番が定められた記録紙を用いて複数頁・複数組の画像形成を実行している途中でジャムが発生した場合にも、面倒な操作無しに正しく画像形成を続行することが可能になる。
【００４４】
（６）請求項６記載の発明は、画像形成状態を表示可能な表示手段を備え、前記制御手段は、画像形成せずに排紙する記録紙が存在する場合に、該画像形成されずに排紙される記録紙についての情報を前記表示手段に表示する制御を行う、ことを特徴とする請求項１乃至請求項５のいずれかに記載の画像形成装置である。
【００４５】
この発明では、上記（１）〜（５）において、画像形成せずに排紙する記録紙が存在する場合に、該画像形成されずに排紙される記録紙についての情報を表示手段に表示する制御を行うようにしている。
【００４６】
よって、順番が定められた記録紙を用いて複数頁・複数組の画像形成を実行している途中でジャムが発生した場合にも、オペレータ（画像形成装置の使用者）は、表示手段での表示に基づいて、画像形成されなかった記録紙を排紙トレイから除くだけでよくなる。
【００４７】
（７）請求項７記載の発明は、画像形成状態を表示可能な表示手段を備え、前記制御手段は、画像形成せずに排紙する記録紙が存在する場合に、該画像形成されずに排紙される記録紙に対する前記後処理手段における処理の情報を前記表示手段に表示する制御を行う、ことを特徴とする請求項１乃至請求項５のいずれかに記載の画像形成装置である。
【００４８】
この発明では、上記（１）〜（５）において、画像形成せずに排紙する記録紙が存在する場合に、該画像形成されずに排紙される記録紙についての後処理に関する情報を表示手段に表示する制御を行うようにしている。
【００４９】
よって、順番が定められた記録紙を用いて複数頁・複数組の画像形成を実行している途中でジャムが発生した場合にも、オペレータ（画像形成装置の使用者）は、表示手段での表示に基づいて、画像形成されなかった記録紙について、後処理の情報を参照して排紙トレイから除くだけでよくなる。
【００５０】
【発明の実施の形態】
以下、図面を参照して本発明の実施の形態例を詳細に説明する。図１は本発明の実施の形態例の画像形成装置１００の電気的な主要部分の構成図である。ここでは、画像形成装置１００として、画像読み取り部を備えた複写機を具体例にする。
【００５１】
この図１において、１０１は画像形成装置１００の各部を制御する制御部であり、本実施の形態例においては、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始する制御を行う。
【００５２】
１０２はユーザからの操作がなされると共に画像形成装置の状態を表示する操作表示部である。１０３は各種制御のためのデータが格納されているテーブルである。
【００５３】
１１０は原稿の画像を読み込んで画像データを生成するための画像読み取り部、１２０は図示されない外部機器あるいは画像読み取り部１１０などからの画像データを受けて必要な画像処理を施す画像処理部である。
【００５４】
１３０は像担持体に対して画像データに応じた露光を行うことで静電潜像を形成する潜像形成手段としての露光部である。この露光としてはレーザビームの走査による露光であっても、ライン状に配置されたＬＥＤによる露光であっても構わない。
【００５５】
１４０は複数種類の記録紙を給紙するために複数の給紙トレイを備えた給紙部である。ここで、どの給紙トレイから記録紙を給紙するかについては、制御部１０１の指示に基づいて動作する。なお、給紙カセットの段数はこの例に限定されるものではない。
【００５６】
１５０は記録紙（転写紙）に対して画像（トナー像）を形成する画像形成部であり、感光体ドラムなどの像担持体１５１、像担持体１５１の表面を一様に帯電させる帯電部１５２、像担持体１５１上の静電潜像を現像することにより像担持体１５１上に顕像（トナー像）を生成する現像部１５３、像担持体１５１および記録紙に対して転写電流を与えることで顕像を記録紙に転写させる転写部１５４、像担持体１５１および記録紙に対して分離電流を与えることで顕像が転写された記録紙を像担持体１５１から分離させる分離部１５５、転写後の像担持体１５１に残存しているトナーを除去するクリーニング部１５６などを備えて構成されている。
【００５７】
１６０は記録紙上に転写されたトナー像を熱と圧力とにより記録紙に固着させるための定着部であり、所定の温度に制御された熱ローラと圧着ローラとにより構成されている。１７０は制御部１０１の指示に基づいて仕分け等の後処理を行う後処理部である。
【００５８】
なお、以上の説明では、感光体ドラム形式の像担持体１５１を例示したが、ベルト状の像担持体や中間転写部材を使用する形式の画像形成装置であっても用いることができる。また、モノクロの画像形成装置に限られず、複数色のトナーを使用するカラー画像形成装置であっても適用することができる。
【００５９】
以上のような画像形成装置において、図２を参照して動作説明を行う。なお、この図２のフローチャートは、全体制御部１０１で動作している画像形成制御プログラム中でコールされるものである。なお、以下の実施の形態例の動作説明では、全体制御部１０１と画像形成制御プログラムのサブルーチンによる制御や動作を、単に全体制御部１０１の制御という言い方で説明する。
【００６０】
まず、操作表示部１０２から画像形成装置の開始の指示がなされると、制御部１０１の指示によって画像形成装置として画像形成を実行する（図２Ｓ１）。この場合、複数（Ｎ）頁分の記録紙を一組とした状態で複数（Ｍ）組の記録紙が給紙部１３０にセットされており、記録紙に対応した複数（Ｎ）頁分を一組とする画像データに応じて、制御部１０１の指示に基づいて複数（Ｍ）組の画像形成を行う画像形成モードで画像形成を実行しているとする。
【００６１】
この画像形成において、制御部１０１は図示されていない各種センサの検知結果を参照してジャム検知（図２Ｓ２）を行っており、ジャムが発生していなければ（図２Ｓ２でＮ）、Ｎ頁分の画像形成をＭ組について完了するまで画像形成を繰り返す（図２Ｓ８でＮ→Ｓ１）。
【００６２】
ここで、ジャムとは紙詰まりなどを意味しており、この実施の形態例においては、何らかの理由により給紙から排紙に至る過程を正常に実行できなかったことをジャムと称する。
【００６３】
この画像形成の途中において、制御部１０１がジャム検知した場合（図２Ｓ２でＹ）、ジャムが発生したのが何頁であるかを、制御部１０１内のレジスタあるいはテーブル１０３などに記憶する（図２Ｓ３）。
【００６４】
そして、制御部１０１は、通常のジャム処理手順に従い、ジャムが発生している箇所の表示を操作表示部１０２に行って、オペレータに対してジャム紙の除去を促す制御を行う（図２Ｓ４）。なお、このジャム処理手順の際の操作表示部１０２への表示は、各種センサによってジャム紙が除去されたことを検知するまで続行する（図２Ｓ５）。
【００６５】
そして、制御部１０１は、各種センサによってジャム紙が除去されたことを検知した場合（図２Ｓ５でＹ）、ジャム記録紙が発生した場合に、ジャム記録紙の次の記録紙から、次の組であってジャム記録紙に対応する頁の記録紙の直前の記録紙までを、画像形成せずに白紙のまま給紙および排紙する（図２Ｓ６、Ｓ７でＮ）。
【００６６】
そして、ジャム記録紙に対応する次の組の記録紙から、対応する頁の画像データ（ジャムにより出力できなかった画像データ）についての画像形成を開始する（図２Ｓ７でＹ）。
【００６７】
そして、以上の処理を繰り返して、給紙部１３０にセットされている複数組の複数頁分の記録紙についての画像形成を、記録紙がなくなるまで続行する（図２Ｓ８でＹ）。
【００６８】
図３（ａ）は一組あたり４頁（Ｎ＝４）、１０組（Ｍ＝１０）の記録紙を模式的に示す説明図である。この場合、各組の複数頁の記録紙については、レターヘッドが予め印刷された表紙を使用する場合や、挿入頁位置が予め定められたタブ紙を用いる場合などがあり、記録紙を給紙トレイに積載する順番と、画像形成する頁の内容と記録紙との対応関係が重要になっている。そして、この４頁・１０組の記録紙を一つにまとめて（図３（ｂ））、画像形成前に、給紙部１３０にセットする。
【００６９】
ここで、１組目の２頁目（１−２）の記録紙でジャムが発生したとすると、制御部１０１は、その直後の１組目の３頁目（１−３）の記録紙から、２組目の２頁目（２−２）の記録紙の直前の２組目の１頁目（２−１）の記録紙までを、を画像形成せずに白紙のまま排紙する。そして、制御部１０１は、２組目の２頁目（２−２）の記録紙から、ジャムにより出力できていなかった２頁目の画像データによって画像形成を再開する。
【００７０】
以上のようにすることで、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００７１】
また、ジャムを発生した記録紙の次の記録紙から、画像形成を再開する直前までの記録紙は、画像形成されずに自動的に排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。
【００７２】
さらに、この自動的に白紙のまま排紙する記録紙を通常の画像形成されて排紙される排紙トレイ１７１とは別の排紙トレイ１７２と設定しておくことで、制御部１０１の指示に基づいた後処理１７０の仕分け処理により、正常に画像形成された分と、画像形成されずに排紙された分とを簡単に分けることができる。
【００７３】
従って、ジャムが発生した場合に、その実行途中の画像形成を一旦中止（クリア）して、記録紙を新たにセットし直して、新たに画像形成をやり直すといった必要もなくなる。よって、順番が定められた記録紙を用いて複数頁・複数組の画像形成を実行している途中でジャムが発生した場合にも、面倒な操作無しに正しく画像形成を続行することが可能になる。
【００７４】
なお、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何組目の何頁目の記録紙でジャムが発生し、何枚の記録紙を画像形成せずにどの排紙トレイに排紙したか、といった情報である。このようにすることで、画像形成されなかった記録紙をより一層取り除きやすくなる。
【００７５】
よって、順番が定められた記録紙を用いて複数頁・複数組の画像形成を実行している途中でジャムが発生した場合にも、オペレータ（画像形成装置の使用者）は、表示手段での表示に基づいて、画像形成されなかった記録紙を排紙トレイから除くだけでよくなる。
【００７６】
図４は本発明の第２の実施の形態例の画像形成装置１００の電気的な主要部分の構成図である。なお、図１と同一物には同一番号を付してある。このため重複した説明を省略する。
【００７７】
この図４において、１０１は画像形成装置１００の各部を制御する制御部であり、本実施の形態例においては、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始し、画像形成されない記録紙については通常とは別の位置にずらして排紙する制御を行う。
【００７８】
また、１７０は制御部１０１の指示に基づいて仕分け等の後処理を行う後処理部であり、記録紙をずらすことによる仕分けを実行して排紙するためにシフト処理部１７０ａを備えて構成されている。
【００７９】
そして、制御部１０１は基本的に図２と同じ図５のフローチャートの処理を実行し、各種センサによってジャム紙が除去されたことを検知した場合（図５Ｓ５でＹ）、ジャム記録紙の次の記録紙から、次の組であってジャム記録紙に対応する頁の記録紙の直前の記録紙までを、画像形成せずに白紙のまま給紙および排紙する（図５Ｓ６、Ｓ７でＮ）。
【００８０】
この際に、制御部１０１の指示に基づいた後処理１７０内のシフト処理部１７０ａでのシフト処理により、この自動的に白紙のまま排紙する記録紙を、通常の画像形成されて排紙される記録紙とはずらした位置に排紙することで、正常に画像形成された分と、画像形成されずに排紙された分とを簡単に分けることができる。
【００８１】
なお、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何組目の何頁目の記録紙でジャムが発生し、何枚の記録紙を画像形成せずにどの位置にシフトして排紙したか、といった情報である。このようにすることで、画像形成されなかった記録紙をオペレータが、より一層取り除きやすくなる。
【００８２】
図６は本発明の第３の実施の形態例の画像形成装置１００の電気的な主要部分の構成図である。なお、図１や図４と同一物には同一番号を付してある。このため重複した説明を省略する。
【００８３】
この図６において、１０１は画像形成装置１００の各部を制御する制御部であり、本実施の形態例においては、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始し、綴じ止め処理の指定にかかわらず画像形成されない記録紙については綴じ止め処理を行わない状態で排紙する制御を行う。
【００８４】
また、１７０は制御部１０１の指示に基づいて仕分け等の後処理を行う後処理部であり、綴じ止め処理を行うステープル処理部１７０ｂを備えて構成されており、綴じ止め処理が指定されている場合には、制御部１０１の制御によって画像形成された記録紙については複数頁の一組毎に綴じ止め処理を行うと共に、制御部１０１の制御によって画像形成されない記録紙については綴じ止め処理を行わない状態で排紙する。
【００８５】
そして、制御部１０１は基本的に図２および図５と同じ図７のフローチャートの処理を実行し、各種センサによってジャム紙が除去されたことを検知した場合（図７Ｓ５でＹ）、ジャム記録紙の次の記録紙から、次の組であってジャム記録紙に対応する頁の記録紙の直前の記録紙までを、画像形成せずに白紙のまま給紙および排紙する（図７Ｓ６、Ｓ７でＮ）。
【００８６】
この際に、制御部１０１の指示に基づいた後処理１７０内のステープル処理部１７０ｂでの綴じ止め処理により、正常に画像形成された記録紙については複数頁の一組毎に綴じ止め処理を行うと共に、制御部１０１の制御によって画像形成されない記録紙については綴じ止め処理を行わない状態で排紙する。このようにすることで、正常に画像形成された分と、画像形成されずに排紙された分とを簡単に分けることができる。
【００８７】
なお、後処理部１７０の構成によっては、この綴じ止め処理の有無による制御と、上述した排紙トレイによる仕分け、シフト処理による仕分けなどを組み合わせて動作させることも可能である。
【００８８】
また、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何組目の何頁目の記録紙でジャムが発生し、何枚の記録紙に対して綴じ止め処理を実行せず排紙したか、といった情報である。このようにすることで、画像形成されなかった記録紙をオペレータが、より一層取り除きやすくなる。
【００８９】
図８は本発明の第４の実施の形態例の画像形成装置１００の電気的な主要部分の構成図である。なお、図６と同一物には同一番号を付してある。このため重複した説明を省略する。
【００９０】
この図８において、１０１は画像形成装置１００の各部を制御する制御部であり、本実施の形態例においては、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する頁の記録紙の直前の記録紙までを、画像形成せずに白紙のまま給紙および排紙すると共に、ジャム記録紙に対応する次の組の記録紙から対応する頁の画像データの画像形成を開始し、穿孔処理の指定にかかわらず画像形成されない記録紙については穿孔処理を行わない状態で排紙する制御を行う。
【００９１】
また、１７０は制御部１０１の指示に基づいて仕分け等の後処理を行う後処理部であり、穿孔処理を行うパンチ処理部１７０ｃを備えて構成されており、穿孔処理が指定されている場合には、制御部１０１の制御によって画像形成された記録紙については複数頁の一組毎に穿孔処理を行うと共に、制御部１０１の制御によって画像形成されない記録紙については穿孔処理を行わない状態で排紙する。
【００９２】
そして、制御部１０１は図７のフローチャートと同様の処理を実行し、各種センサによってジャム紙が除去されたことを検知した場合、ジャム記録紙の次の記録紙から、次の組であってジャム記録紙に対応する頁の記録紙の直前の記録紙までを、画像形成せずに白紙のまま給紙および排紙する。
【００９３】
この際に、制御部１０１の指示に基づいた後処理１７０内のパンチ処理部１７０ｃでの穿孔処理により、正常に画像形成された記録紙については複数頁の一組毎に穿孔処理を行うと共に、制御部１０１の制御によって画像形成されない記録紙については穿孔処理を行わない状態で排紙する。このようにすることで、正常に画像形成された分と、画像形成されずに排紙された分とを簡単に分けることができる。
【００９４】
なお、、後処理部１７０の構成によっては、この穿孔処理の有無による制御と、上述した排紙トレイによる仕分け、シフト処理による仕分けなどを組み合わせて動作させることも可能である。
【００９５】
また、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何組目の何頁目の記録紙でジャムが発生し、何枚の記録紙に対して穿孔処理を実行せず排紙したか、といった情報である。このようにすることで、画像形成されなかった記録紙をオペレータが、より一層取り除きやすくなる。
【００９６】
〈その他の実施の形態例〉
なお、以上の図１の装置の具体例においてはモノクロの画像形成装置を用いたが、カラーの画像形成装置であっても、以上の各実施の形態例の内容を適用して良好な結果を得ることが可能である。また、中間転写体ベルトを使用する画像形成装置であっても同様に本実施の形態例によって良好な結果を得ることができる。
【００９７】
【発明の効果】
以上、説明したように、本発明では、複数頁分の記録紙を一組とした状態で、該記録紙について複数組の画像形成を連続して実行する際に、給紙から排紙に至る過程を正常に実行できなかった記録紙（ジャム記録紙）が発生した場合に、ジャム記録紙の次の記録紙から、次の組であってジャム記録紙に対応する記録紙の直前の記録紙までを、画像形成せずに白紙のまま給紙および排紙すると共に、ジャム記録紙に対応する次の組の記録紙から対応する頁の画像データの画像形成を開始する。
【００９８】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。また、ジャムを発生した記録紙の次の記録紙から、画像形成を再開する直前までの記録紙を、オペレータ（画像形成装置の使用者）が給紙トレイから取り除く必要もなくなる。
【００９９】
さらに、給紙トレイからの取り除き忘れや、取り除く記録紙の枚数の間違えが発生することもなくなる。従って、ジャムが発生した場合に、その実行途中の画像形成を一旦中止（クリア）して、記録紙を新たにセットし直して、新たに画像形成をやり直すといった必要もなくなる。
【０１００】
よって、順番が定められた記録紙を用いて複数頁・複数組の画像形成を実行している途中でジャムが発生した場合にも、面倒な操作無しに正しく画像形成を続行することが可能になる。
【図面の簡単な説明】
【図１】本発明の実施の形態例の画像形成装置の電気的構成を示す構成図である。
【図２】本発明の実施の形態例の画像形成装置の動作状態示すフローチャートである。
【図３】本発明の実施の形態例の画像形成装置における動作の様子を示す説明図である。
【図４】本発明の実施の形態例の画像形成装置の電気的構成を示す構成図である。
【図５】本発明の実施の形態例の画像形成装置の動作状態示すフローチャートである。
【図６】本発明の実施の形態例の画像形成装置の電気的構成を示す構成図である。
【図７】本発明の実施の形態例の画像形成装置の動作状態示すフローチャートである。
【図８】本発明の実施の形態例の画像形成装置の電気的構成を示す構成図である。
【符号の説明】
１００  画像形成装置
１０１  制御部
１０２  操作表示部
１０３  テーブル
１１０  画像読み取り部
１２０  画像処理部
１３０  露光部
１４０  給紙部
１５０  画像形成部
１５１  像担持体
１５４  転写部
１５５  分離部
１７０  後処理部
【図１】
2004174895.tif 000003
【図２】
2004174895.tif 000004
【図３】
2004174895.tif 000005
【図４】
2004174895.tif 000006
【図５】
2004174895.tif 000007
【図６】
2004174895.tif 000008
【図７】
2004174895.tif 000009
【図８】
2004174895.tif 000010